(57)【特許請求の範囲】
【請求項１】
ミクロトームの試料ヘッドを配向する装置であって、
試料ヘッド（１）を玉継手（３）に固定し、玉継手（３）のボール（２）を２つの球形シェル半部（４ａ，４ｂ）の間に配置し、ボール（２）をクランプする締付レバー（１６）を双方の球形シェル半部（４ａ，４ｂ）の間に設けた形式のものにおいて、
ボール（２）が、更に、カルダン継手（５）に結合され、上記カルダン継手（５）が、伝動手段を介して、試料ヘッド（１）を各別にＸ−Ｙ配向するための２つの相互に直角に配されたノブ（６，７）に結合されていることを特徴とする、試料ヘッドを配向する装置。
【請求項２】
ノブ（６，７）が、それぞれ、ネジスピンドル（８，９）に結合され、試料ヘッド（１）に回転自在に軸支して配置してあることを特徴とする請求項１に記載の試料ヘッドを配向する装置。
【請求項３】
双方のネジスピンドル（８，９）には、それぞれ、カルダン継手（５）に結合されたナット（１０，１１）が配してあることを特徴とする請求項２に記載の試料ヘッドを配向する装置。
【請求項４】
双方のナット（１０，１１）には、それぞれ、ピン（１２，１３）が不動に配してあり、各ピン（１２，１３）が、カルダン継手（５）の長穴（１４，１５）に案内されていることを特徴とする請求項３に記載の試料ヘッドを配向する装置。
【請求項５】
双方の長穴（１４，１５）が、カルダン継手（５）に相互に直角に配置してあることを特徴とする請求項４に記載の試料ヘッドを配向する装置。
【請求項６】
前記ミクロトームの試料ヘッドは、クライオスタット・ミクロトームの冷却された試料ヘッドであることを特徴とする請求項１〜５のいずれかに記載の試料ヘッドを配向する装置。
【発明の詳細な説明】
【０００１】
【発明の属する技術分野】
本発明は、ミクロトームの試料ヘッドを配向する装置に関し、特にクライオスタット・ミクロトーム（低温恒温槽ないし装置付ミクロトーム）において冷却された試料ヘッドを配向する装置に関する。本発明は、特に請求項１の前置部に記載の形式の配向装置に関し、ミクロトームの試料ヘッド（特にクライオスタット・ミクロトームの試料ヘッド）を配向する装置であって、試料ヘッドを玉継手に固定し、玉継手のボールを２つの球形シェル半部の間に配置し、ボールをクランプする締付レバーを双方の球形シェル半部の間に設けた形式のものに関する。
【０００２】
【従来の技術】
切断メスに対して試料（対象）を配向するこの種の装置は、一例としてＫＲＹＯＳＴＡＴ・ＬＥＩＣＡ  ＣＭ３０００として知られている。この公知のクライオスタット・ミクロトームの場合、切断すべき試料を含む試料ヘッドは、玉継手に結合してある。玉継手は、Ｘ方向およびＹ方向へ可動に構成され、玉継手を囲む２つの球形シェル半部の間に支持してある。玉継手のクランプ操作は、球形シェル半部の１つをボールに押圧する締付レバーを介して行われる。
【０００３】
試料ヘッドの配向操作は、ボールに直接に結合された旋回レバーを介して行う。上記レバーを旋回すれば、試料ヘッドをＸ−Ｙ方向へ移動できる。試料ヘッドの所望のＸ−Ｙ位置の調節後、冷却ホースを含めて試料ヘッドの大重量に起因して、同時に、ボールをクランプする固定締付レバーを作動しなければならない。
【０００４】
【発明が解決しようとする課題】
しかし、試料ヘッドのこの種の調節は、ヘッドの迅速な配向が必要である場合には、有効ではないことが判った。
【０００５】
試料ヘッドの上記の大きい自重に起因して、Ｘ−Ｙ調節時において双方のレバーを同時に操作しなければならず、従って、配向時にある程度の公差を容認しなければならない。即ち、ある程度の公差を条件としてのみ、試料ヘッドの迅速配向が可能であるという欠点が存在する。
【０００６】
従って、本発明の課題は、試料ヘッドの精密な配向が保証されるよう、一例としてクライオスタット・ミクロトーム  ＬＥＩＣＡ  ＣＭ  ３０００から公知の、ミクロトームの試料ヘッドの配向を改善することにある。
【０００７】
【課題を解決するための手段】
この課題は、本発明にもとづき、請求項１の特徴記載部分に開示の特徴によって解決される。
【０００８】
即ち、本発明は、冷却された試料ヘッドを配向する装置は、ボールが、更に、カルダン継手に結合され、上記カルダン継手が、伝動手段を介して、試料ヘッドを各別にＸ−Ｙ配向するための２つの相互に直角に配されたノブに結合されていることを特徴とする。この基本的特徴に基づき、試料ヘッドの精密な迅速配向が達成される。
【０００９】
本発明のさらなる有利な実施の形態は、従属請求項の対象として記載されている。以下に略述する。
【００１０】
ノブが、それぞれ、ネジスピンドルに結合され、試料ヘッドに回転自在に軸支して配置してあることが好ましい。双方のネジスピンドルには、それぞれ、カルダン継手に結合されたナットが配してあることが好ましい。双方のナットには、それぞれ、ピンが不動に配してあり、各ピンが、カルダン継手の長穴に案内されていることが好ましい。さらに、双方の長穴が、カルダン継手に相互に直角に配置してあることが有利である。
【００１１】
なお、本願において請求の範囲の各請求項に付記した図面参照符号は、理解を助けるためであり、図示の態様に本発明を限定することを意図しない。
【００１２】
【発明の実施の形態】
添付の略図に示した実施例を参照して本発明を詳細に説明する。
【００１３】
図１に、試料ディスク１９（図２）を受容するための中央ボア２６を有する試料ヘッド１の前面図を示した。試料ヘッド１には、冷却装置とともに試料（対象）２０（図２）を所定温度に冷却する冷媒ホース１７が接続されている。
【００１４】
試料ヘッド１には、試料ヘッド１に試料ディスクをクランプ（締付固定）するノブ１８が設けてある。他の２つのノブ６，７は、試料ヘッド１をＸ−Ｙ方向へ微調整するのに用いる微調整ノブである。更に、試料ヘッド１の位置の固定のために、クランプレバー１６が設けてある。
【００１５】
図２に、試料ディスク１９と、この試料ディスクに設けた試料２０とを含む試料ヘッド１の断面図を示した。試料ディスク１９は、ノブ１８を介して試料ヘッド１にクランプされている。
【００１６】
試料ヘッド１は、２つのセットピン２５およびネジ結合機構２７を介して、中心に配置したボール２に結合されている。このボールは、周囲の２つの球形シェル半部４ａ，４ｂの間に案内されている。球形シェル半部４ａは、固定レバー１６を介して球形シェル半部４ｂに押圧され、かくして、ボール２の位置が固定される。球形シェル半部４ｂは、ネジ結合機構２７を介して、ミクロトームの昇降自在のシリンダ２１に結合されている。
【００１７】
ボール２は、カルダン継手５に結合されており、カルダン継手５の長穴１４，１５には、２つの相互に直角に配置されたピン１２，１３が案内されている。ピン１２には、ネジスピンドル８と作用結合（螺合）するナット１０が固定してある。かくして、ネジスピンドル８の回転運動は、ナット１０およびピン１２の縦方向運動に変換される。ピン１２の縦方向運動は、長穴１４を介してカルダン継手５に伝達され、試料ディスク１９を載せたボール２の旋回運動を結果する。
【００１８】
図３に、相互に直角に配置した双方の微調整用ノブ６，７を含むカルダン継手５の前面図を示した。ノブ６，７は、それぞれ、ネジスピンドル８，９に結合固定されている。この場合、ネジスピンドル８，９は、球形シェル半部４ｂに回転自在に支持してある。軸線方向へ摺動しないようネジスピンドル８，９を確保するため、確保部材（位置係止部材）２３，２４が設けてある。ピン１２，１３をそれぞれ形成したナット１０，１１は、それぞれ、ネジスピンドル８，９上を走行する。
【００１９】
双方のノブ６，７の回転運動は、ナット１０，１１に伝達され、かくして、上記ナットは、形成されたピン１２，１３とともに、当該のスピンドルに沿って移動される。図２に示した如く、ピン１２の縦運動は、長穴１４を介してカルダン継手５に伝達される。カルダン継手５はボール２に結合されているので、カルダン継手の上記運動から、試料ヘッド１のＸ方向の側方旋回運動が生ずる（図１）。
【００２０】
これと同様に、ノブ７を回転すると、ピン１３が長穴１５内を移動し、かくして、この場合、試料ヘッド１のＹ方向のピッチング運動が行われる（図１）。
【００２１】
即ち、上述の装置によって、ミクロトームの試料ヘッドを伝動結合を介してＸ方向および／またはＹ方向へ各別に配列でき、かくして、試料について最適な切断結果を保証できる。
【００２２】
【発明の効果】
本発明の基本構成（請求項１）により、ミクロトームの試料ヘッドの迅速Ｘ−Ｙ配向が高精度下に実現される。請求項２〜４の各特徴により夫々さらに具体的な展開が与えられる。本発明は、特にクライオスタット・ミクロトームのように冷却系を具備した試料ヘッドの高精度配向装置として有効である。
【図面の簡単な説明】
【図１】冷却ホースを接続した試料ヘッドの前面図である。
【図２】試料ヘッドの断面図である。
【図３】双方のノブを有するカルダン継手の前面図である。
【符号の説明】
１−試料ヘッド
２−ボール
３−玉継手
４ａ−球形シェル半部
４ｂ−球形シェル半部
５−カルダン継手
６−ノブ
７−ノブ
８−６のネジスピンドル
９−７のネジスピンドル
１０−８のナット
１１−９のナット
１２−１０のピン
１３−１１のピン
１４−１２の長穴
１５−１３の長穴
１６−締付レバー
１７−冷媒ホース
１８−１９のノブ
１９−試料ディスク
２０−試料
２１−シリンダ
２２−断熱材
２３−６の確保部材
２４−７の確保部材
２５−セットピン
２６−ボア
２７−ネジ結合機構
【図１】
0003732297.tif 000002
【図２】
0003732297.tif 000003
【図３】
0003732297.tif 000004